(57)【要約】      （修正有）【課題】低価格で迅速に展開されることができるバッテリ交換設備を提供する。【解決手段】電源装置を管理するシステム１００は、電子装置１と、第１の電源装置２Ａ及び第２の電源装置２Ｂを含む複数の電源装置と、を含む。電子装置１は、第１の電源装置２Ａが第１の電源装置２Ａに記憶されているバッテリ情報の一部を削除することを可能にし、そして第２の電源装置２Ｂがもともと第１の電源装置２Ａに記憶されていたバッテリ情報の一部を記憶することを可能にする。【選択図】図１
2019195251.tif 000002
【特許請求の範囲】
【請求項１】
第１の電源装置（２Ａ）及び第２の電源装置（２Ｂ）と通信している電子装置（１）によって実施される電源装置を管理する方法であって、
前記第１の電源装置（２Ａ）に記憶されているバッテリ情報を要求するための情報要求を前記第１の電源装置（２Ａ）に送信するステップと、
前記第１の電源装置（２Ａ）から前記バッテリ情報を受信するステップと、
前記第１の電源装置（２Ａ）に記憶されている前記バッテリ情報の一部を削除するための関連付け解除指示を前記第１の電源装置（２Ａ）に送信するステップと、
前記第１の電源装置（２Ａ）から受信した前記バッテリ情報の一部を、前記第２の電源装置（２Ｂ）に記憶するために、前記第２の電源装置（２Ｂ）に送信するステップと、を含む、
ことを特徴とする、方法。
【請求項２】
前記バッテリ情報の一部を送信するステップの前に、前記第２の電源装置（２Ｂ）が前記第２の電源装置（２Ｂ）を使用することが許可されるいずれかのキャリア装置のいずれかのキャリア識別子と関連付けられているか否かを判定するステップをさらに含み、
前記バッテリ情報の一部を送信するステップは、前記第２の電源装置（２Ｂ）がいずれのキャリア識別子とも関連付けられていないと判定された場合に、実施される、
請求項１に記載の方法。
【請求項３】
前記第２の電源装置（２Ｂ）がいずれかのキャリア識別子と関連付けられているか否かを判定するステップは、
いずれかのキャリア識別子が前記第２の電源装置（２Ｂ）に記憶されているか否かを問い合わせるために、問合せ要求を前記第２の電源装置（２Ｂ）に送信するサブステップと、
前記第２の電源装置（２Ｂ）から、いずれかのキャリア識別子が前記第２の電源装置（２Ｂ）に記憶されているか否かを示す問合せ応答を受信するサブステップと、
前記第２の電源装置（２Ｂ）から受信した前記問合せ応答に基づいて、前記第２の電源装置（２Ｂ）がいずれかのキャリア識別子と関連付けられているか否かを判定するサブステップと、を含む、
請求項２に記載の方法。
【請求項４】
前記バッテリ情報の一部を送信するステップの前に、前記第２の電源装置（２Ｂ）に個別に対応するバッテリ識別子を取得するステップをさらに含み、
前記バッテリ情報の一部を送信するステップは、前記第１の電源装置（２Ａ）から受信した前記バッテリ情報の一部と、前記第２の電源装置（２Ｂ）に対応する前記バッテリ識別子とを前記第２の電源装置（２Ｂ）に記憶するために前記第２の電源装置（２Ｂ）に送信することを含み、前記バッテリ情報の一部は、前記第２の電源装置（２Ｂ）を使用することが新たに許可されるキャリア装置に対応するキャリア識別子を含む一方で前記第１の電源装置（２Ａ）に個別に対応する前記バッテリ識別子は含まない、
請求項１〜請求項３のいずれか一項に記載の方法。
【請求項５】
前記第２の電源装置（２Ｂ）に送信される前記バッテリ情報の一部は、前記情報要求を送信するステップが行なわれる時点において、前記第１の電源装置（２Ａ）のユーザに対応するユーザ識別子を含んでいる、
請求項１〜請求項４のいずれか一項に記載の方法。
【請求項６】
第１の電源装置（２Ａ）と第２の電源装置（２Ｂ）とを含む複数の電源装置と通信することができ、複数の電源装置を管理するための電子装置（１）であって、
前記複数の電源装置に通信するための通信モジュール（１１）と、
前記通信モジュール（１１）と電気的に接続されている処理モジュール（１２）であって、
前記通信モジュール（１１）によって、前記第１の電源装置（２Ａ）に記憶されているバッテリ情報を要求するための情報要求を前記第１の電源装置（２Ａ）に送信し、
前記通信モジュール（１１）によって、前記第１の電源装置（２Ａ）から前記バッテリ情報を受信し、
前記通信モジュール（１１）によって、前記第１の電源装置（２Ａ）に記憶されている前記バッテリ情報の一部を削除するための関連付け解除指示を前記第１の電源装置（２Ａ）に送信し、
前記通信モジュール（１１）によって、前記第２の電源装置（２Ｂ）に記憶するために、前記第１の電源装置（２Ａ）から受信した前記バッテリ情報の一部を前記第２の電源装置（２Ｂ）に送信するように構成されている処理モジュール（１２）と、を備えている、
ことを特徴とする、電子装置（１）。
【請求項７】
前記処理モジュール（１２）は、
前記第２の電源装置（２Ｂ）が前記第２の電源装置（２Ｂ）を使用することが許可されるいずれかのキャリア装置のいずれかのキャリア識別子と関連付けられているか否かを判定し、
前記第２の電源装置（２Ｂ）がいずれのキャリア識別子とも関連付けられていないと判定された場合にのみ、前記通信モジュール（１１）によって前記バッテリ情報の一部を前記第２の電源装置（２Ｂ）に送信するようにさらに構成されている、
請求項６に記載の電子装置（１）。
【請求項８】
前記処理モジュール（１２）は、
いずれかのキャリア識別子が前記第２の電源装置（２Ｂ）に記憶されているか否かを問い合わせるために、前記通信モジュール（１１）によって問合せ要求を前記第２の電源装置（２Ｂ）に送信し、
前記第２の電源装置（２Ｂ）から、前記通信モジュール（１１）によって、いずれかのキャリア識別子が前記第２の電源装置（２Ｂ）に記憶されているか否かを示す問合せ応答を受信し、
前記第２の電源装置（２Ｂ）から受信した前記問合せ応答に基づいて、前記第２の電源装置（２Ｂ）がいずれかのキャリア識別子と関連付けられているか否かを判定するようにさらに構成されている、
請求項７に記載の電子装置（１）。
【請求項９】
前記処理モジュール（１２）は、
前記第２の電源装置（２Ｂ）に個別に対応するバッテリ識別子を取得し、
前記第１の電源装置（２Ａ）から受信した前記バッテリ情報の一部と、前記第２の電源装置（２Ｂ）に対応する前記バッテリ識別子とを、前記第２の電源装置（２Ｂ）に記憶するために前記第２の電源装置（２Ｂ）に前記通信モジュール（１１）によって送信し、前記バッテリ情報の一部は、前記第２の電源装置（２Ｂ）を使用することが新たに許可されるキャリア装置に対応するキャリア識別子を含む一方で前記第１の電源装置（２Ａ）に個別に対応する前記バッテリ識別子を含まないようにさらに構成されている、
請求項６〜請求項８のいずれか一項に記載の電子装置（１）。
【請求項１０】
前記第２の電源装置（２Ｂ）に送信される前記バッテリ情報の一部は、前記バッテリ情報が前記第１の電源装置（２Ａ）により送信される時点において、前記第１の電源装置（２Ａ）のユーザに対応するユーザ識別子を含んでいる、
請求項６〜請求項９のいずれか一項に記載の電子装置（１）。
【発明の詳細な説明】
【技術分野】
【０００１】
本発明は、電源装置の管理に関し、特に電源装置間の情報転送に関する。
【背景技術】
【０００２】
人々の環境意識の高まりに伴い、電気自動車（electric vehicles、略称：ＥＶｓ）が開発されると共に世間の注目を集めている。
【０００３】
従来の電気自動車は、充電式バッテリを使用している。充電式バッテリが消耗したり損傷したりすると、固定式の充電ステーションで交換する必要がある。例えば、台湾特許出願公開第２０１６３３２４２号は、充電ステーションにある複数のバッテリの中から充電されたバッテリを選定するために、充電ステーションにある特定のバッテリの選定装置によって実行されるバッテリの選定方法を開示している。充電ステーションを設置するためには時間と費用との両方においてかなりのコストがかかるため、利用可能な充電ステーションの数は、多くの場合に流通している電気自動車の数に比例しない。この状態では、多くの電気自動車のユーザにとって、充電ステーションにたどり着くのに多くの時間がかかると共に、ユーザがバッテリを交換するために並んで待つ必要があることがある。そのような不便は、電気自動車を購入しようとする人々の意欲を削ぐ恐れがあり、電気自動車産業にとって好ましくない。
【発明の概要】
【発明が解決しようとする課題】
【０００４】
したがって、本発明の目的は、低価格で迅速に展開されることができるバッテリ交換設備の提供に寄与する解決策を提供することにある。
【０００５】
本発明の目的は、従来技術の少なくとも１つの欠点を軽減することができる電源装置を管理する方法及び電子装置を提供することにある。
【課題を解決するための手段】
【０００６】
本発明によると、該方法は、第１の電源装置及び第２の電源装置と通信している電子装置によって実施される。該方法は、前記第１の電源装置に記憶されているバッテリ情報を要求するための情報要求を前記第１の電源装置に送信するステップと、前記第１の電源装置から前記バッテリ情報を受信するステップと、前記第１の電源装置に記憶されている前記バッテリ情報の一部を削除するための関連付け解除指示を前記第１の電源装置に送信するステップと、前記第１の電源装置から受信した前記バッテリ情報の一部を、前記第２の電源装置に記憶するために、前記第２の電源装置に送信するステップと、を含む。
【０００７】
本発明によると、該電子装置は、複数の電源装置を管理するように第１の電源装置と第２の電源装置とを含む複数の電源装置と通信することができる。前記電子装置は、前記複数の電源装置に通信するための通信モジュールと、前記通信モジュールと電気的に接続されている処理モジュールと、を備えている。前記処理モジュールは、前記通信モジュールによって、前記第１の電源装置に記憶されているバッテリ情報を要求するための情報要求を前記第１の電源装置に送信するように構成されている。前記処理モジュールは、前記通信モジュールによって、前記第１の電源装置から前記バッテリ情報を受信するように構成されている。前記処理モジュールは、前記通信モジュールによって、前記第１の電源装置に記憶されている前記バッテリ情報の一部を削除するための関連付け解除指示を前記第１の電源装置に送信するように構成されている。前記処理モジュールは、前記通信モジュールによって、前記第２の電源装置に記憶するために、前記第１の電源装置から受信した前記バッテリ情報の一部を前記第２の電源装置に送信するようにさらに構成されている。
【０００８】
本発明の他の特徴および利点は、添付の図面を参照する以下の実施形態の詳細な説明において明白になるであろう。
【図面の簡単な説明】
【０００９】
【図１】一実施形態に係る電源装置を管理するシステムを例示的に示すブロック図
【図２】一実施形態に係る電源装置を管理する方法の第１の部分の例を示すフローチャート
【図３】一実施形態に係る電源装置を管理する方法の第２の部分の第１の例を示すフローチャート
【図４】一実施形態に係る電源装置がいずれかのキャリア識別子と関連付けられているか否かを判定するプロセスを例示的に示すフローチャート
【図５】一実施形態に係る電源装置を管理する方法の第２の部分の第２の例を示すフローチャート
【発明を実施するための形態】
【００１０】
本発明をより詳細に説明する前に、適切と考えられる場合において、符号又は符号の末端部は、同様の特性を有し得る対応の又は類似の要素を示すために各図面間で繰り返し用いられることに留意されたい。
【００１１】
図１は一実施形態に係る電源装置を管理するシステム１００を例示的に示すブロック図である。図１に示されているように、システム１００は、サービスエンド電子装置１（本開示の一部において、電子装置と略称され得る）と、例えば、近距離無線通信（near-field communication、略称：ＮＦＣ）を介して通信することができる電源装置２Ａ及び電源装置２Ｂを含む複数の電源装置と、を含む。各電源装置は、固有のバッテリ識別子を有する。
【００１２】
一実施形態によれば、サービスエンド電子装置１は、サービスエンド通信モジュール１１と、サービスエンド通信モジュール１１と電気的に接続しているサービスエンド処理モジュール１２と、を備えている（本開示の一部において、サービスエンド通信モジュール１１及びサービスエンド処理モジュール１２は、通信モジュール及び処理モジュールと略称され得る）。一実施形態では、サービスエンド電子装置１は、電子自動車の販売業者のモバイル装置、或いは、電子自動車の販売業者に所属又は認可されたバッテリ交換サービスの所在地にあるモバイル装置である。サービスエンド電子装置１は、例えば、近距離無線通信対応のスマートフォン、或いは、近距離無線通信対応のタブレットコンピュータとして実施されることができるが、本発明はこれに限定されない。
【００１３】
一実施形態によれば、各電源装置は、バッテリと、記憶媒体（例えば、メモリ装置）と、バッテリ及び記憶媒体と電気的に接続されているマイクロコントローラと、を備えている。例えば、電源装置２Ａは、バッテリ２１Ａと、記憶媒体２２Ａと、マイクロコントローラ２３Ａと、を備え、且つ、電源装置２Ｂは、バッテリ２１Ｂと、記憶媒体２２Ｂと、マイクロコントローラ２３Ｂと、を備えている。記憶媒体及びマイクロコントローラは、バッテリ管理システム（Battery Management System、略称：ＢＭＳ）として実施されることができるが、本発明はこれに限定されない。
【００１４】
一実施形態によれば、各電源装置は、その記憶媒体にバッテリ情報を記憶する。一実施形態によれば、電源装置が、電源装置を使用することを許可されている少なくとも１つのキャリア装置（例えば、電気自動車）に関連付けられている場合に、電源装置に記憶されているバッテリ情報は、該電源装置のバッテリ識別子と、当該少なくとも１つのキャリア装置の少なくとも１つのキャリア識別子と、を含む。一方、電源装置がいずれのキャリア装置にも関連付けられていない場合に、電源装置に記憶されているバッテリ情報は、そのバッテリ識別子を有し、そして、キャリア識別子を有しない。さらなる実施形態によれば、電源装置が少なくとも１つのキャリア装置に関連付けられている場合に、その記憶媒体は、電源装置のユーザに対応するユーザ識別子をも記憶するが、電源装置がいずれのキャリア装置にも関連付けられていない場合に、ユーザ識別子は記憶媒体に記憶されない。
【００１５】
電源装置を管理する方法は、図１に示されているシステム１００によって実施することができる。図２は、一実施形態に係る電源装置を管理する方法の第１の部分の一例を示すフローチャートである。そして、図３及び図５は、一実施形態に係る方法の第２の部分の例を別々に示している。以下の説明では、このプロセスの開始時に、電源装置２Ａは少なくとも１つのキャリア装置に関連付けられているものであって、且つ、いずれのキャリア装置にも関連付けられていないとされる電源装置２Ｂによって交換されるものであると仮定される。以下により詳細に説明されるように、図２に示されている方法の第１の部分は、交換される電源装置（ここでは電源装置２Ａ）から記憶された情報を削除することに重点を置くと共に、図３及び図５に示されている方法の第２の部分は、交換する電源装置（ここでは電源装置２Ｂ）に情報を書き込むことに重点を置く。
【００１６】
電源装置を管理する方法の第１の部分の例を示す図２を参照すると、ステップ５１〜５４が示されている。
【００１７】
ステップ５１において、サービスエンド処理モジュール１２は、第１の電源装置（ここでは電源装置２Ａ）に記憶されているバッテリ情報を要求するための情報要求を生成し、そして、サービスエンド通信モジュール１１は、例えば、近距離無線通信を介して、情報要求を電源装置２Ａに送信する。
【００１８】
ステップ５２において、電源装置２Ａのマイクロコントローラ２３Ａは、情報要求を受信し、そして、記憶媒体２２Ａに記憶されているバッテリ情報を例えば近距離無線通信を介してサービスエンド電子装置１に送信する。
【００１９】
ステップ５３において、サービスエンド処理モジュール１２は、サービスエンド通信モジュール１１によって、例えば、近距離無線通信を介して、電源装置２Ａからバッテリ情報を受信する。そして、サービスエンド処理モジュール１２は、関連付け解除指示を生成し、サービスエンド通信モジュール１１は、例えば、近距離無線通信を介して、関連付け解除指示を電源装置２Ａに送信する。
【００２０】
ステップ５４において、電源装置２Ａのマイクロコントローラ２３は、例えば、近距離無線通信を介して、関連付け解除指示を受信し、そして、受信した関連付け解除指示に従って記憶媒体２２Ａに記憶されているバッテリ情報の一部を削除する。一実施形態によれば、削除された部分には、記憶媒体２２Ａ（もともと電源装置２Ａを使用することが許可されていた少なくとも１つのキャリア識別子に対応する少なくとも１つのキャリア装置）に本来記憶されていた少なくとも１つのキャリア識別子が含まれる一方で、バッテリ識別子を有しない。さらなる実施形態によれば、削除済みデータには、ユーザ識別子も含まれる。
【００２１】
電源装置を管理する方法の第２の部分の第１の例を示す図３を参照すると、ステップ６１〜６４が示されている。
【００２２】
ステップ６１において、サービスエンド処理モジュール１２は、第２の電源装置（ここでは電源装置２Ｂ）がいずれかのキャリア識別子と関連付けられているか（即ち、いずれかのキャリア装置と関連付けられているか）否かを判定する。そうであれば、プロセスはステップ６４に進む。そうでなければ、プロセスはステップ６２に進む。ステップ６１のプロセスは、ステップ６１のサブステップ６１１〜６１３を例示的に示す図４に詳細に示されている。
【００２３】
図４に参照すると、サブステップ６１１において、サービスエンド処理モジュール１２は、いずれかのキャリア識別子が電源装置２Ｂに記憶されているか否かを問い合わせるための問合せ要求を生成し、そして、サービスエンド通信モジュール１１は、例えば、近距離通信を介して、問合せ要求を電源装置２Ｂに送信する。
【００２４】
サブステップ６１２において、電源装置２Ｂのマイクロコントローラ２３Ｂは、問合せ要求を受信し、そして、電源装置２Ｂがいずれかのキャリア識別子を記憶しているか否かを示す問合せ応答を例えば近距離通信を介してサービスエンド電子装置１に送信する。一実施形態では、サービスエンド電子装置１に送信される問合せ応答は、記憶媒体２２Ｂに記憶されているバッテリ情報を有する。
【００２５】
サブステップ６１３において、サービスエンド処理モジュール１２は、サービスエンド通信モジュール１１によって、例えば、近距離通信を介して、電源装置２Ｂから問合せ応答を受信し、そして、受信した問合せ応答に基づいて、電源装置２Ｂがいずれかのキャリア識別子と関連付けられているか否かを判定する。例えば、受信した問合せ応答が電源装置２Ｂに記憶されているバッテリ情報を有する場合に、サービスエンド処理モジュール１２は、受信したバッテリ情報がキャリア識別子を有するか否かに基づいて、電源装置２Ｂがいずれかのキャリア識別子と関連付けられているか否かを判定し得る。
【００２６】
図３に戻ると、ステップ６２において、サービスエンド処理モジュール１２は、サービスエンド通信モジュール１１によって、図２のステップ５３において受信したバッテリ情報の一部と電源装置２Ｂのバッテリ識別子とを、例えば、近距離通信を介して、電源装置２Ｂに送信する。電源装置２Ｂのバッテリ識別子は、電源装置２Ｂ上のクイックレスポンスコード(即ち、ＱＲコード（登録商標）) をスキャンすることによっても取得され得る。一実施形態によれば、バッテリ情報の一部は、少なくとも１つのキャリア識別子の情報を有し、いずれのバッテリ識別子も有しない。さらなる実施形態によれば、バッテリ情報の一部は、ユーザ識別子の情報をも有する。一実施形態では、バッテリ情報の一部はステップ５４の削除済みデータに対応する。
【００２７】
この場合は、少なくとも１つの削除済みデータのキャリア識別子に対応する少なくとも１つのキャリア装置は、もともと電源装置２Ａを使用することを許可されていたが、許可されなくなったものであり、現在、新たに電源装置２Ｂを使用することが許可されている。
【００２８】
ステップ６３において、電源装置２Ｂが、例えば、近距離無線通信を介してバッテリ情報の一部とバッテリ識別子とを受信した後に、電源装置２Ｂのマイクロコントローラ２３Ｂは、記憶媒体２２Ｂに記憶されているバッテリ情報を更新して、受信したバッテリ情報の一部を取り込む。
【００２９】
一実施形態によれば、バッテリ情報の一部及び電源装置２Ｂのバッテリ識別子は、まず電源装置２Ｂに対応するバッテリ情報に組み合わされ、そしてステップ６２において電源装置２Ｂに送信され得る。この場合は、マイクロコントローラ２３Ｂは、もともと記憶媒体２２Ｂに記憶されているバッテリ情報を、ステップ６３において受信したバッテリ情報と交換することができる。
【００３０】
ステップ６４において、サービスエンド処理モジュール１２は、サービスエンド電子装置１のスクリーン上においてエラーメッセージを表示する。一実施形態によれば、エラーメッセージは、電源装置２Ｂに情報を書き込むことが禁止されていることを指す。
【００３１】
一実施形態では、該方法は、ステップ６４の後にいくつかの任意選択のステップをさらに含み得る。一実施形態によれば、該方法は、ステップ６４の後に２つの任意選択のステップをさらに含む。２つの任意選択のステップのうちの第１のステップにおいて、サービスエンド処理モジュール１２は、図２のステップ５３において受信されたバッテリ情報の一部と電源装置２Ｂのバッテリ識別子とを含む強制書込み指示を生成することができ、そして、サービスエンド通信モジュール１１は、例えば、近距離無線通信を介して強制書込み指示を電源装置２Ｂに送信することができる。２つの任意選択のステップのうちの第２のステップにおいて、電源装置２Ｂのマイクロコントローラ２３Ｂは、強制書込み指示を受信したことに応じて、バッテリ情報の一部を記憶媒体２２Ｂに記憶する。
【００３２】
電源装置を管理する方法の第２の部分の第２の例は、図５に示されている。図５に示されているように、該方法の第２の部分の第２の例は、ステップ６１´と、ステップ６２と、ステップ６３と、を含む。
【００３３】
ステップ６１´において、サービスエンド処理モジュール１２は、電源装置２Ｂのバッテリ識別子を取得する。電源装置２Ｂのバッテリ識別子は、例えば、バッテリ識別子要求を生成し、サービスエンド通信モジュール１１を介してバッテリ識別子要求を電源装置２Ｂに送信し、サービスエンド通信モジュール１１を介して電源装置２Ｂからバッテリ識別子を受信することによって取得することができる。電源装置２Ｂのバッテリ識別子は、電源装置２Ｂ上のＱＲコード（登録商標）をスキャンすることによって取得することもできる。
【００３４】
ステップ６１´に続くステップ６２及びステップ６３は、図３と同様である。したがって、ここではステップ６２及びステップ６３の詳細を繰り返さない。要するに、ステップ６２において、サービスエンド処理モジュール１２は、図２のステップ５３で受信したバッテリ情報の一部と、ステップ６１´で取得した電源装置２Ｂのバッテリ識別子と、を電源装置２Ｂに送信する。ステップ６３において、電源装置２Ｂがバッテリ情報の一部及びバッテリ識別子を受信した後に、電源装置２Ｂのマイクロコントローラ２３Ｂは、記憶媒体２２Ｂに記憶されているバッテリ情報を更新して、受信したバッテリ情報の一部を取り込む。
【００３５】
見て分かるように、図３及び図５に示している手順の主な違いは、図５の手順では所定の電源装置（即ち、交換される電源装置）がいずれかのキャリア識別子に関連付けられているか否かを判定するプロセスを省略して、所定の電源装置に情報を直接に書き込む。
【００３６】
総括すると、上述したような電源装置を管理する方法において、電源装置２Ａを他の電源装置２Ｂに交換する必要がある場合に、サービスエンド電子装置１（例えば、販売業者のモバイル装置）は、まず、電源装置２Ａから電源装置２Ａに記憶されているバッテリ情報を受信する。そして、サービスエンド電子装置１は、電源装置２Ａに記憶されているバッテリ情報の一部を削除するように電源装置２Ａに指示し、電源装置２Ｂに記憶されるために受信したバッテリ情報の一部（例えば、電源装置２Ｂを使用すること、又は、使用しようとするキャリア識別子を含む）を電源装置２Ｂに送信する。バッテリ交換の手順においてこのような方法を適用することは、手順をより速く且つより容易にする。さらに、そのような方法を用いて操作するバッテリ交換設備は、時間と費用との両方においてコストがより少なくなる。
【００３７】
上記の説明では、説明の目的のために、実施形態の完全な理解を提供するために多数の特定の詳細が述べられた。しかしながら、しかしながら、当業者であれば、一またはそれ以上の他の実施形態が具体的な詳細を示さなくとも実施され得ることが明らかである。また、本明細書における「一つの実施形態」「一実施形態」を示す説明において、序数などの表示を伴う説明は全て、特定の態様、構造、特徴を有する本発明の具体的な実施に含まれ得るものであることと理解されたい。更に、本説明において、時には複数の変化例が一つの実施形態、図面、またはこれらの説明に組み込まれているが、これは本説明を合理化させるためのもので、本発明の多面性が理解されることを目的としたものであり、また、一実施形態における一またはそれ以上の特徴あるいは特定の具体例は、適切な場合には、本開示の実施において、他の実施形態における一またはそれ以上の特徴あるいは特定の具体例と共に実施され得る。
【００３８】
以上、本発明の好ましい実施形態および変化例を説明したが、本発明はこれらに限定されるものではなく、最も広い解釈の精神および範囲内に含まれる様々な構成として、全ての修飾および均等な構成を包含するものとする。
【図１】
2019195251.tif 000003
【図２】
2019195251.tif 000004
【図３】
2019195251.tif 000005
【図４】
2019195251.tif 000006
【図５】
2019195251.tif 000007
【外国語明細書】
2019195251.tif 000008
2019195251.tif 000009
2019195251.tif 000010
2019195251.tif 000011
2019195251.tif 000012
2019195251.tif 000013
2019195251.tif 000014
2019195251.tif 000015
2019195251.tif 000016
2019195251.tif 000017
2019195251.tif 000018
2019195251.tif 000019
2019195251.tif 000020
2019195251.tif 000021
2019195251.tif 000022
2019195251.tif 000023
2019195251.tif 000024
2019195251.tif 000025
2019195251.tif 000026
2019195251.tif 000027
2019195251.tif 000028
2019195251.tif 000029
2019195251.tif 000030
2019195251.tif 000031
2019195251.tif 000032
2019195251.tif 000033
2019195251.tif 000034